(57)【特許請求の範囲】
【請求項１】
原稿を搬送する原稿搬送路に設けた読取センサにより、その原稿搬送路を搬送される原稿の第１面と第２面の画像を読み取るようにした両面読取装置において、
前記原稿搬送路に駆動源により回転される回転部材を設けると共に、該回転部材に前記原稿搬送路の一部を回転搬送路として一体に設け、前記回転部材に前記回転搬送路を通過中の原稿の一方の面の画像を読み取り可能に前記読取センサを取り付け、前記原稿搬送路の前記回転部材に対して原稿搬送順方向上流側に第１の搬送ローラを、原稿搬送順方向下流側に第２の搬送ローラをそれぞれ設けると共に、前記第１の搬送ローラと第２の搬送ローラをそれぞれローラ駆動源により正逆両方向に回転可能に設け、
正方向に回転させた前記第１の搬送ローラにより原稿搬送順方向に搬送される原稿の第１面の画像を前記読取センサにより読み取らせ、その原稿が正方向に回転させた前記第２の搬送ローラにより原稿搬送順方向に搬送されて後端が前記回転搬送路を抜けた後に前記駆動源を駆動させて前記回転部材を前記読取センサと共に１８０度回転させ、その後で前記第１の搬送ローラと第２の搬送ローラを共に逆方向に回転させて原稿を逆方向に搬送させ、その原稿の第２面の画像を前記読取センサにより読み取らせる手段を設け、前記回転部材に設ける回転搬送路を、前記読取センサの読み取り側を覆う読取ガラスと、その読取ガラスに対して所定の間隔を置いて対向配置された読取基準ガイド板とにより構成し、前記読取ガラスの原稿搬送方向の全長を前記読取基準ガイド板の原稿搬送方向の全長に略一致させ、前記回転部材の回転中心を前記読取基準ガイド板の原稿搬送方向の中間位置としたことを特徴とする両面読取装置。
【請求項２】
請求項１記載の両面読取装置において、前記読取ガラスの原稿に対向する面と反対の面側に該読取ガラスの破損を防止するためのガード部材を、前記回転部材と一体で回転するように設けたことを特徴とする両面読取装置。
【請求項３】
請求項１又は２記載の両面読取装置を備えた画像形成装置。
【発明の詳細な説明】
【０００１】
【発明の属する技術分野】
この発明は、原稿を搬送する原稿搬送路に設けた読取センサにより、その原稿搬送路を搬送される原稿の第１面と第２面の画像を読み取るようにした両面読取装置及びその両面読取装置を備えた画像形成装置に関する。
【０００２】
【従来の技術】
従来の原稿の両面の画像をそれぞれ読み取り可能にする両面読取装置としては、例えば特開平１０−２０７９７９号公報に記載されているものがある。
この両面読取装置は、給紙部にセットした帳票を供給部により読取部に搬送し、その読取部で帳票のまず表面の画像を光学的に走査して読み取り、その画像データをデジタル化してイメージバッファに格納する。
【０００３】
そして、その表面の画像が走査された帳票は、第１の反転部に搬送された後に転てつ部を通って第２の反転部に搬送され、表裏が反転された状態で再び読取部に搬送される。そして、その読取部で今度は裏面の画像が光学的に走査され、その読み取った画像データをデジタル化してイメージバッファに格納するようにしている。
また、両面読取装置には、例えば特開平１１−１２７３５０号公報に記載されているように、原稿搬送経路を挾んで表面白基準を読み取る表面工学ユニットと、裏面白基準を読み取る裏面工学ユニットとを配設したものもある。
【０００４】
【発明が解決しようとする課題】
しかしながら、前者の両面読取装置の場合には、表面の画像を読み取った後の帳票を、第１の反転部から転てつ部を通して第２の反転部に搬送することにより表裏を反転させ、その後で裏面の画像の読み取り（走査）を行う構成であるため、その帳票を裏側に反転させるための第１の反転部と転てつ部と第２の反転部とが必要であるため、その分だけ搬送経路及び搬送駆動系が複雑になることによってコストアップになってしまうという問題点があった。
【０００５】
また、その帳票を裏側に反転させる搬送経路のために、装置全体が大型化してしまうという問題点もあった。
さらに、このような表裏反転用の搬送経路を設ける構成では、帳票等の原稿がその搬送経路を通過するための時間が必要であるため、処理時間が多くかかってしまうという欠点もあった。
【０００６】
また、後者の両面読取装置の場合には、読み取り用の工学ユニットを、原稿搬送経路を挾んで上側と下側の両方にそれぞれ設けるため、光学系が１つの場合に比べて２倍のコストがかかってしまうと共に、光学系を収納するためのスペースも２倍必要となるため、それだけ装置が大型化してしまうという問題点があった。
また、原稿の両面の画像の読取処理を略同時のタイミングで処理する構成であるため、エレキ,ソフトの処理スピードが高速となるため、その分コストアップになってしまうという問題点もあった。
【０００７】
この発明は、上記の問題点に鑑みてなされたものであり、原稿を表裏反転させる反転経路を設けることなく、また１つの読取センサだけで表裏両面に画像のある両面原稿の両面の画像を読み取ることができるようにして、小型で低コストにすることを目的とする。
【０００８】
【課題を解決するための手段】
この発明は上記の目的を達成するため、原稿を搬送する原稿搬送路に設けた読取センサにより、その原稿搬送路を搬送される原稿の第１面と第２面の画像を読み取るようにした両面読取装置において、
上記原稿搬送路に駆動源により回転される回転部材を設けると共に、その回転部材に上記原稿搬送路の一部を回転搬送路として一体に設け、上記回転部材に上記回転搬送路を通過中の原稿の一方の面の画像を読み取り可能に上記読取センサを取り付け、上記原稿搬送路の上記回転部材に対して原稿搬送順方向上流側に第１の搬送ローラを、原稿搬送順方向下流側に第２の搬送ローラをそれぞれ設けると共に、上記第１の搬送ローラと第２の搬送ローラをそれぞれローラ駆動源により正逆両方向に回転可能に設ける。
【０００９】
また、正方向に回転させた上記第１の搬送ローラにより原稿搬送順方向に搬送される原稿の第１面の画像を上記読取センサにより読み取らせ、その原稿が正方向に回転させた上記第２の搬送ローラにより原稿搬送順方向に搬送されて後端が上記回転搬送路を抜けた後に上記駆動源を駆動させて上記回転部材を上記読取センサと共に１８０度回転させ、その後で上記第１の搬送ローラと第２の搬送ローラを共に逆方向に回転させて原稿を逆方向に搬送させ、その原稿の第２面の画像を上記読取センサにより読み取らせる手段を設ける。
【００１１】
さらに、上記回転部材に設ける回転搬送路を、上記読取センサの読み取り側を覆う読取ガラスと、その読取ガラスに対して所定の間隔を置いて対向配置された読取基準ガイド板とにより構成し、上記読取ガラスの原稿搬送方向の全長を上記読取基準ガイド板の原稿搬送方向の全長に略一致させ、上記回転部材の回転中心を上記読取基準ガイド板の原稿搬送方向の中間位置にする。
その場合、回転部材に読取ガラスの原稿に対向する面と反対の面側にその読取ガラスの破損を防止するためのガード部材を、上記回転部材と一体で回転するように設けるとよい。
【００１２】
さらに、上記いずれかの両面読取装置を備えた画像形成装置を提供する。
【００１３】
【発明の実施の形態】
以下、この発明の実施の形態を図面に基づいて説明する。
図１はこの発明の基礎となる両面読取装置の回転搬送路付近を示す概略構成図、図２は同じくその両面読取装置を備えた画像形成装置の一例を示す全体構成図、図３は図１の両面読取装置に設けられている読取センサを１８０度回転させた状態を示す概略図、図４は同じくその読取センサを回転させる読取センサ回転機構部を示す側面図である。
【００１４】
図２に示す画像形成装置は、装置本体１の上部に設けた原稿トレイ２上から原稿Ｄを原稿搬送路３を通して両面読取装置１０に搬送し、そこで原稿Ｄの同図で下側の第１面の画像を読取センサ１１で読み取り、その読み取った画像データを後述する原稿画情報メモリ部６３（図５）に保存する。
【００１５】
そして、その原稿Ｄの後端が両面読取装置１０の回転搬送路１２を抜けると、その回転搬送路１２を読取センサ１１と共に１８０度回転させた後に、原稿Ｄを図２で右方に向けて逆方向に搬送し、今度は原稿Ｄの同図で上側の第２面の画像を、図２に示した位置から１８０度回転した位置にある読取センサ１１で読み取り、その読み取った画像データを同様に原稿画情報メモリ部６３に保存する。
その後、その原稿Ｄを直進させて原稿集積トレイ１３に排出する。
そして、回転搬送路１２を読取センサ１１と共に再び１８０度回転させて、それらを図２に示した位置に戻して次の原稿Ｄの画像読取に備える。
【００１６】
また、この画像形成装置は画像形成動作を開始させると、感光体ドラム５が図２で矢示Ａ方向に回転し、帯電チヤージヤ４により感光体ドラム５の表面が一様に帯電される。また、レーザ光出射装置１５からレーザ光が所定のタイミングで射出され、それが光学系１６を介して感光体ドラム５の表面に当って、その表面が画像データに応じて露光され、そこに静電潜像が形成される。
その静電潜像は、現像器６によってトナーが付着されて顕像化される。
【００１７】
また、装置本体１の下部に設けられている給紙部７から転写紙Ｐが給紙され、それがレジストローラ対８で一旦停止された後に、感光体ドラム５上の画像と一致する正確なタイミングで転写ローラ９のある転写位置に向けて搬送される。
そして、その転写紙Ｐに、感光体ドラム５上のトナー像が転写ローラ９により転写され、その転写紙Ｐは搬送ベルト１７により定着装置２２へ搬送され、そこでトナー像が定着される。
【００１８】
ここで、両面画像形成モードが選択されているときには、その転写紙Ｐは両面装置２５に搬送され、そこで表裏が反転された後に再び感光体ドラム５に搬送され、今度は裏面のまだ画像が形成されていない面に次の画像が形成され、その後その転写紙Ｐは直進されて排紙トレイ２３へ排出される。
また、転写，分離が終了した感光体ドラム５の表面は、クリーニング装置２４により残留トナーが除去され、次の画像形成に備える。
【００１９】
次に、両面読取装置１０について詳しく説明する。
両面読取装置１０は、図１に示すように原稿搬送路３に、駆動源である後述する駆動モータ３０（図４参照）により回転される回転部材である対をなす読取側板３５，３６（図４も参照）を設けると共に、その読取側板３５，３６に原稿搬送路３の一部を回転搬送路１２として一体に設けている。
【００２０】
そして、その読取側板３５，３６に、回転搬送路１２を通過中の原稿の一方の面の画像を読み取り可能に読取センサ１１を取り付け、原稿搬送路３の読取側板３５，３６に対して原稿搬送順方向上流側（図１で右方側）に、原稿搬送路３を搬送される原稿を検知する第１の原稿検知センサ４１と対のローラからなる第１の搬送ローラ５１を、また原稿搬送順方向下流側に原稿搬送路３を搬送される原稿を検知する第２の原稿検知センサ４２と対のローラからなる第２の搬送ローラ５２をそれぞれ設け、その第１の搬送ローラ５１と第２の搬送ローラ５２を、それぞれ後述するローラ駆動源である駆動モータ４５（図５）により正逆両方向に回転可能に設けている。
【００２１】
また、この両面読取装置１０は、図１に矢印でそれぞれ示す正方向に回転させた第１の搬送ローラ５１により、同図で左方に向かう原稿搬送順方向に搬送される原稿の第１面（図１で下側の面）の画像を読取センサ１１により読み取らせ、その原稿が正方向に回転させた第２の搬送ローラ５２により原稿搬送順方向に搬送されて後端側の端部Ｄｂが回転搬送路１２を抜けた後に前述した駆動源を駆動させて読取側板３５，３６を読取センサ１１と共に１８０度回転させ、その後で第１の搬送ローラ５１と第２の搬送ローラ５２を共に逆方向（図１の矢印と反対方向）に回転させて原稿を逆方向に搬送させ、その原稿の第２面（図１で上側の面）の画像を読取センサ１１により読み取らせる制御を行う中央処理装置（ＣＰＵ）６０（図５で後述する）を設けている。
【００２２】
この両面読取装置１０の回転搬送路１２は、読取センサ１１の読み取り側（図１で上側）を覆う読取ガラス２８と、その読取ガラス２８に対して原稿搬送順方向の上流側に近接させて設けた読取入口ガイド板１８と、下流側に近接させて設けた読取出口ガイド板１９と、その読取入口ガイド板１８及び読取出口ガイド板１９と読取ガラス２８に共に所定の間隔を置いて対向配置された読取基準ガイド板１４とにより構成されている。
【００２３】
そして、その読取基準ガイド板１４の原稿搬送方向の全長Ｌ１を読取入口ガイド板１８の入り口から読取出口ガイド板１９の出口迄の距離Ｌ２に略一致させ、読取側板３５，３６の回転中心Ｏを、読取基準ガイド板１４の原稿搬送方向の中間位置としている。
【００２４】
読取センサ１１と読取基準ガイド板１４は、図４に示すように左右の読取側板３５，３６に例えばネジ止めにより一体に固定されている。その読取側板３５，３６には軸３３が固定されていて、その軸３３の両端部３３ａ，３３ｂが、読取側板３５と３６のそれぞれ外側に所定量突出している。
【００２５】
そして、その端部３３ａを、本体側板３７により図示しない軸受を介して回転可能に支持すると共に、他方の端部３３ｂを本体側板３８により図示しない軸受を介して回転可能に支持している。
なお、左右の読取側板３５，３６は、それらの外面側に２本の軸をその回転中心を互いに一致させるようにしてそれぞれ固定し、その２本の軸を左右の本体側板３７，３８でそれぞれ回転可能に支持するようにしてもよい。
【００２６】
軸３３の一方の端部３３ｂには、読取センサギヤ３１を固定し、その読取センサギヤ３１を本体側板３８に本体部を固定している駆動モータ３０の回転軸に固定しているモータギヤ３２に噛み合わせている。
したがって、駆動モータ３０を正回転させることにより、図１に示した位置にある読取センサ１１を、同図で時計回り方向に１８０度回転させて、図３に示す位置に読取基準ガイド板１４や読取入口ガイド板１８及び読取出口ガイド板１９と共に一体で回転させて停止させることができる。
【００２７】
さらに、駆動モータ３０を回転させて、その図３に示した位置にある読取センサ１１を同図で時計回り方向に更に１８０度回転させて、図１に示した位置に読取基準ガイド板１４や読取入口ガイド板１８及び読取出口ガイド板１９と共に戻すこともできる。
【００２８】
この両面読取装置１０は、図１に示した原稿搬送路３から原稿Ｄが矢示Ｂ方向に搬送されてくると、その原稿Ｄは駆動モータ４５（図５）により駆動されて図１の矢示方向に正回転している第１の搬送ローラ５１により入口前ガイド板４３，４４の間に向けて搬送される。
【００２９】
そして、その原稿Ｄが入口前ガイド板４３，４４の間を搬送されると、その際に第１の原稿検知センサ４１がその原稿Ｄの先端側の端部Ｄａを検知する。すると、図１に示す位置にある読取センサ１１が、読取基準ガイド板１４と読取ガラス２８との間に搬送された原稿Ｄの下面Ｄｄの画像の読み取りを開始する。
その読取センサ１１による画像の読み取りは、第１の原稿検知センサ４１が原稿Ｄの後端側の端部Ｄｂを検知すると、その所定時間後に終了する。
【００３０】
その後、この両面読取装置１０の下流側の搬送路に設けられている第２の原稿検知センサ４２が原稿Ｄの後端側の端部Ｄｂを検知すると、駆動モータ４５（図５）の回転が停止されることにより第１の搬送ローラ５１と第２の搬送ローラ５２の回転が一旦停止される。
【００３１】
そこで、駆動モータ３０を回転させて、図１に示した位置にある読取センサ１１を、読取基準ガイド板１４や読取入口ガイド板１８及び読取出口ガイド板１９と一体で図３に示す位置まで１８０度回転させて、その位置に停止させる。
【００３２】
その後、駆動モータ４５を、今度は逆回転させることにより原稿Ｄを図３で右方に搬送する。そして、その原稿Ｄの先端側の端部Ｄｂ（これまでの後端）を第２の原稿検知センサ４２が検知すると、読取センサ１１による原稿Ｄの上面Ｄｃの画像の読み取りを開始する。
その原稿Ｄの後端側の端部Ｄａを第２の原稿検知センサ４２が検知すると、その所定時間後に読取センサ１１による読み取りを終了する。
そして、その上面Ｄｃの画像の読み取りが終了すると、再び駆動モータ３０を回転させて読取センサ１１等を図１に示した位置に戻す。
【００３３】
このようにして、この両面読取装置１０は、原稿Ｄの両面に形成されている画像をそれぞれ読み取るが、その際に原稿Ｄの下面Ｄｄの画像は原稿の端部Ｄａ（原稿Ｄの順方向搬送時における原稿先端側）側から読み取る。これに対し、上面Ｄｃ側の画像は原稿の端部Ｄｂ（原稿Ｄの順方向搬送時における原稿後端側）側から読み取る。
【００３４】
なお、このように原稿Ｄの上面Ｄｃ側の画像を、その原稿Ｄの順方向搬送時における原稿後端側の端部Ｄｂから読み取っても、その読み取った画像データをメモリ部に保存する際には、そのメモリ部の最下行から保存して順次上の行に保存していくので、上面側と下面側とで画像情報を上下逆に読み取った原稿のデータ配置を修正することができる。この点については、その詳しい説明を後述する。
【００３５】
次に、図２に示した画像形成装置の制御系を図５を参照して説明する。
この画像形成装置の制御系は、中央処理装置（ＣＰＵ）６０が、データバス５０を通して第１の原稿検知センサ４１と、第２の原稿検知センサ４２と、原稿画情報メモリ部６３と、オペポート６４と、ラインバッフア６５と、読取センサ１１と、駆動モータ３０と、駆動モータ４５と、モデム６６と、ＲＯＭ６７と、頁カウンタ６８とに接続されている。そして、モデム６６は外部の通信回線に接続するためのネットワークコントロールユニット（ＮＣＵ）６９に接続されている。
【００３６】
そして、この実施の形態では、原稿画情報メモリ部６３が、読取センサ１１が読み取った画像データを記憶する記憶手段として機能する。
また、中央処理装置（ＣＰＵ）６０が、原稿画情報メモリ部６３に原稿の第１面（図３の下面Ｄｄ）の画像を読み取った画像データは開始行から記憶させ、第２面（図３の上面Ｄｃ）の画像を読み取った画像データは最終行から記憶させる手段として機能する。
【００３７】
図６は原稿の下面側の画像を読み込んだ時のデータ処理を説明するための概念図、図７は原稿の上面側の画像を読み込んだ時のデータ処理を説明するための概念図である。
この両面読取装置１０は、図１に示した原稿Ｄの下面Ｄｄ側の画像を読み取るときには、前述したように原稿Ｄの端部Ｄａ（原稿Ｄの順方向搬送時における原稿先端側）から読み取り、それを図６に示すように原稿画情報メモリ部６３の最上行から順次下の行に保存（蓄積）していく。
そして、その保存した画像データを送信したり、記録側に渡すときには、その原稿画情報メモリ部６３に保存した最上行を１ライン目とし、以降２行目以下を２ライン目以降として、順に出力していく。
【００３８】
また、原稿Ｄの上面Ｄｃ側の画像を読み取るときには、前述したように原稿Ｄの端部Ｄｂ（原稿Ｄの順方向搬送時における原稿後端側）から読み取り、それを図７に示すように原稿画情報メモリ部６３の最下行から順次上の行に保存（蓄積）していく。
【００３９】
そして、その保存した画像データを送信したり、記録側に渡すときには、その原稿画情報メモリ部６３に保存した最上行を１ライン目とし、以降２行目以下を２ライン目以降として、順に出力していく。
このように、原稿Ｄの上面Ｄｃ側の画像を読み取ったときには、画像情報（画像データ）を上下逆に配置して修正するので、原稿画情報メモリ部６３に保存した読取データを送信したり、記録側に渡すときには、保存した画像データを最上行を１ライン目とし、以降２行目以下を２ライン目以降として、共に出力順を揃えることができる。
【００４０】
図８は回転搬送路を読取ガラスとそれと全長を略一致させた読取基準ガイド板とで構成するようにしたこの発明による両面読取装置の実施形態を示す図１と同様な概略構成図、図９は同じくその両面読取装置に設けられている読取センサを１８０度回転させた状態を示す概略図であり、図１と対応する部分には同一の符号を付してある。
【００４１】
この実施の形態による両面読取装置は、回転部材である読取側板３５，３６に設ける回転搬送路１２′を、読取センサ１１の読み取り側を覆う読取ガラス２８′と、その読取ガラス２８′に対して所定の間隔を置いて対向配置された読取基準ガイド板１４とにより構成し、読取ガラス２８′の原稿搬送方向の全長Ｌ３を読取基準ガイド板１４の原稿搬送方向の全長Ｌ１に略一致させ、読取側板３５，３６の回転中心Ｏを、読取基準ガイド板１４の原稿搬送方向の中間位置にしている。
【００４２】
そして、回転中心Ｏから読取センサ１１を覆っているセンサケース２１の最も離れた位置までの回転半径ｒ１と、回転中心Ｏから読取基準ガイド板１４の端部迄の回転半径ｒ２とが略一致するようにし、さらに読取ガラス２８′の全長を略回転半径ｒ１×２にすることにより、極力小さい回転半径ｒ（ｒ≒ｒ１≒ｒ２）とすることで、両面読取装置の回転搬送路１２′を含む回転部の大きさを、できるだけ小さくしている。
【００４３】
また、この実施の形態による両面読取装置では、読取センサ１１のセンサケース２１の横幅に対して読取ガラス２８′の全長Ｌ３が大きいため、メンテナンス時等に読取ガラス２８′に触れてそれを破損させてしまう恐れがある。
そこで、図１０に示すように、例えばセンサケース２１の側面に、読取ガラス２８′の原稿に対向する面と反対の面２８ａ側にその読取ガラス２８′の破損を防止するためのリブ状のガード部材５４，５５を取り付けることにより、そのガード部材５４，５５を読取側板３５，３６（図８）と一体で回転するように設けるとよい。
【００４４】
なお、この両面読取装置も図１乃至図７で説明した両面読取装置と同様に、駆動モータ（図４の駆動モータ３０を参照）により、図９に示すように回転搬送路１２′が読取センサ１１や読取ガラス２８′及び読取基準ガイド板１４等と共に１８０度回転する点は同様である。
【００４５】
【発明の効果】
以上説明したように、この発明によれば、次に記載する効果を奏する。
請求項１の両面読取装置及び請求項３の画像形成装置によれば、回転部材に原稿搬送路の一部を構成する回転搬送路と読取センサを設け、その読取センサが回転部材と共に１８０度回転するようにしたので、原稿を表裏反転させたりせずに、１つの読取センサで原稿の表裏両面の画像を読み取ることができる。それにより、装置全体を小型にすることができると共に低コストにすることができる。
【００４７】
また、回転搬送路を読取ガラスとその読取ガラスに対して所定の間隔を置いて対向配置された読取基準ガイド板とで構成し、その読取ガラスの原稿搬送方向の全長を読取基準ガイド板の原稿搬送方向の全長に略一致させ、回転部材の回転中心を読取基準ガイド板の原稿搬送方向の中間位置としたので、回転搬送路の回転軌跡を最小にして装置全体を小型にすることができ、さらに回転搬送路は読取ガラスと読取基準ガイド板とだけで構成されていて、その途中にはガイド板を繋いで構成する場合のような段差部がないので、回転搬送路内での搬送ジャムを防止できるため高い信頼性が得られる。
【００４９】
請求項２の両面読取装置によれば、読取ガラスの原稿搬送方向の全長を読取基準ガイド板の原稿搬送方向の全長に略一致させるように長くしても、その読取ガラスはガード部材によってガードされるので、メンテナンス等の際に読取ガラスを破損させてしまうのを防止することができる。
【図面の簡単な説明】
【図１】  この発明の基礎となる両面読取装置の回転搬送路付近を示す概略構成図である。
【図２】同じくその両面読取装置を備えた画像形成装置の一例を示す全体構成図である。
【図３】図１の両面読取装置に設けられている読取センサを１８０度回転させた状態を示す概略図である。
【図４】同じくその読取センサを回転させる読取センサ回転機構部を示す側面図である。
【図５】図２の画像形成装置の制御系を説明するためのブロック図である。
【図６】原稿の下面側の画像を読み込んだ時のデータ処理を説明するための概念図である。
【図７】原稿の上面側の画像を読み込んだ時のデータ処理を説明するための概念図である。
【図８】  回転搬送路を読取ガラスとそれと全長を略一致させた読取基準ガイド板とで構成するようにしたこの発明による両面読取装置の実施形態を示す図１と同様な概略構成図である。
【図９】同じくその両面読取装置に設けられている読取センサを１８０度回転させた状態を示す概略図である。
【図１０】読取センサのセンサケースに読取ガラスの破損を防止するためのリブ状のガード部材を取り付けた例を示す概略図である。
【符号の説明】
３：原稿搬送路              １０：両面読取装置
１１：読取センサ
１２，１２′：回転搬送路    １４：読取基準ガイド板
１８：読取入口ガイド板      １９：読取出口ガイド板
２８，２８′：読取ガラス
３０：駆動モータ（駆動源）
３５，３６：読取側板（回転部材）
５１：第１の搬送ローラ      ５２：第２の搬送ローラ
６０：中央処理装置
６３：原稿画情報メモリ部
【図１】
0003816318.tif 000002
【図２】
0003816318.tif 000003
【図３】
0003816318.tif 000004
【図４】
0003816318.tif 000005
【図５】
0003816318.tif 000006
【図６】
0003816318.tif 000007
【図７】
0003816318.tif 000008
【図８】
0003816318.tif 000009
【図９】
0003816318.tif 000010
【図１０】
0003816318.tif 000011